(57)【要約】【課題】天井から吊下げられたぶどう棚よりも上方の空間に間仕切り壁を構築する場合、リフトアップされたぶどう棚上での高所における構築作業をなくして安全性および施工性を向上できる間仕切り壁の構築方法を得る。【解決手段】天井からぶどう棚が吊下げられる空間を有する構造物の、前記空間で床と天井間に構築される間仕切り壁の構築方法において、ぶどう棚３と上部天井２間では、間仕切り壁を上下に分割して、上部天井に下がり壁４を先行して施工し、その後、床１上で組み上げられたぶどう棚３上に自立壁５を地組みし、自立壁５が一体に組まれたぶどう棚３をリフトアップし、自立壁５の上端を下がり壁４の下端に接合してぶどう棚３の上部に間仕切り壁を構築する。【選択図】        図１
2010133157.tif 000002
【特許請求の範囲】
【請求項１】
天井からぶどう棚が吊下げられる空間を有する構造物の、前記空間で床と天井間に構築される間仕切り壁の構築方法において、ぶどう棚と上部天井間では、間仕切り壁を上下に分割して、上部天井に下がり壁を先行して施工し、その後、床上で組み上げられたぶどう棚上に自立壁を地組みし、自立壁が一体に組まれたぶどう棚をリフトアップし、自立壁の上端を下がり壁の下端に接合してぶどう棚の上部に間仕切り壁を構築することを特徴とする間仕切り壁の構築方法。
【請求項２】
下がり壁または自立壁のいずれか一方を、他方よりも壁厚を大きくする請求項１記載の間仕切り壁の構築方法。
【請求項３】
下がり壁と自立壁との接合端面の一方に、ロックウールと鉄板で形成された接合部位を設ける請求項１または請求項２に記載の間仕切り壁の構築方法。
【発明の詳細な説明】
【技術分野】
【０００１】
本発明は、工場等の生産施設や研究施設における比較的大空間を有する構造物の、前記大空間に施工する間仕切り壁の構築方法に関するものである。
【背景技術】
【０００２】
生産施設や研究施設においては、天井高のある比較的大きな空間があるが、かかる大空間の天井付近に設備配管や各種ダクトを設置する場合、鉄骨で井桁状に組んだ架台（以下、ぶどう棚と称する）を天井から吊下げ、その上に各種の設備機器や点検用のキャットウォークをまとめて配置している。
【０００３】
このようなぶどう棚の設置される大空間において、間仕切り壁を構築する場合、床からぶどう棚下までの間だけに間仕切り壁を設けるときは、ぶどう棚をリフトアップしてから、その後で間仕切り壁を施工しても問題はない。
【０００４】
ところが、床から天井までの間に間仕切り壁を設ける場合は、ぶどう棚を跨いで壁を構築する必要があり、ぶどう棚よりも上に構築される間仕切り壁の部分について、従来はぶどう棚のリフトアップ後にぶどう棚の上で、これより上の部分の間仕切り壁の設置工事を行っている。
【０００５】
一般的に、ぶどう棚の構築は、建物躯体工事完了後に天井から吊下げるように行われ、その後、設備工事が高所に吊下げられたぶどう棚上で行われるが、高所のぶどう棚上での作業は危険が多く、安全に作業するためには仮設の作業床を設けるなどの手間とコストと時間を要していた。
【０００６】
かかる不都合をなくすために、設備機器の設置などについては、施工階床上においてぶどう棚を組立て、さらに設備機器をこのぶどう棚上に設置し、その後に天井付近の所定位置までぶどう棚およびこの上に設置された設備機器をリフトアップする方法がある（例えば特許文献１参照）。
【特許文献１】特開平６−５７９５４号公報
【発明の開示】
【発明が解決しようとする課題】
【０００７】
前記のようにぶどう棚上に設置する設備機器などについては、ぶどう棚を組み立てる同じ施工階床上でぶどう棚上に設備機器も設置し、その後、設備機器が設置されたぶどう棚をリフトアップすることで、リフトアップされたぶどう棚上での設備機器の設置作業を削減でき、安全性を確保できる。
【０００８】
しかしながら、高所に吊下げられたぶどう棚よりも上に間仕切り壁を構築しようとする場合、かかる部分の間仕切り壁の構築はリフトアップされたぶどう棚の上で行っているため、高所作業となって安全性に問題があった。
【０００９】
ぶどう棚よりも上方に設置される間仕切り壁についても、前記設備機器の場合と同様に施工階床上でぶどう棚上に間仕切り壁を地組みし自立させることも考えられるが、間仕切り壁は例えば高さ４．８ｍにも達するものであり、間仕切り壁の構築のためには足場が必要となり、施工としても仮設の組み払し作業が生じて施工性がよくない。
【００１０】
本発明は前記従来例の不都合を解消するものとして、天井から吊下げられたぶどう棚よりも上方の空間に間仕切り壁を構築する場合、リフトアップされたぶどう棚上での高所における構築作業をなくして安全性および施工性を向上できる間仕切り壁の構築方法を提供するものである。
【課題を解決するための手段】
【００１１】
請求項１記載の本発明は、天井からぶどう棚が吊下げられる空間を有する構造物の、前記空間で床と天井間に構築される間仕切り壁の構築方法において、ぶどう棚と上部天井間では、間仕切り壁を上下に分割して、上部天井に下がり壁を先行して施工し、その後、床上で組み上げられたぶどう棚上に自立壁を地組みし、自立壁が一体に組まれたぶどう棚をリフトアップし、自立壁の上端を下がり壁の下端に接合してぶどう棚の上部に間仕切り壁を構築することを要旨とするものである。
【００１２】
請求項１記載の本発明によれば、ぶどう棚と上部天井の間に構築する間仕切り壁については、これを上下に２分割して上部天井の下面から下がり壁を施工し、一方、施工階床上で組み上げられたぶどう棚に、同施工階床上で自立壁を地組みしてぶどう棚をリフトアップすれば、ぶどう棚と一体の自立壁も同時にリフトアップされ、これにより下がり壁の下端に自立壁の上端が接合し、ぶどう棚の上方に間仕切り壁が構築される。よって、高所のぶどう棚上での間仕切り壁の構築作業を削減できる。
【００１３】
請求項２記載の本発明は、下がり壁または自立壁のいずれか一方を、他方よりも壁厚を大きくすることを要旨とするものである。
【００１４】
請求項２記載の本発明によれば、下がり壁または自立壁のいずれか一方を、他方よりも壁厚を大きくすることにより、両壁の接合時の位置精度誤差を吸収できる。
【００１５】
請求項３記載の本発明は、下がり壁と自立壁との接合端面の一方に、ロックウールと鉄板で形成された接合部位を設けることを要旨とするものである。
【００１６】
請求項３記載の本発明は、自立壁のリフトアップにより自立壁と下がり壁の接合端面が圧着するが、このときロックウールが押しつぶされることにより間仕切り壁としての区画が形成される。
【発明の効果】
【００１７】
以上述べたように本発明の間仕切り壁の構築方法は、天井から吊下げられたぶどう棚よりも上方の空間に間仕切り壁を構築する場合、この間の壁を上下に分割して天井からの下がり壁はぶどう棚の地組み前に先行施工し、その後、ぶどう棚を地組みしてこれに自立壁をさらに組み、ぶどう棚のリフトアップ時に自立壁を下がり壁に合体させるようにしたから、リフトアップされたぶどう棚上での高所における構築作業をなくして安全性を向上できるものである。
【発明を実施するための最良の形態】
【００１８】
以下、図面について本発明の実施形態を詳細に説明する。図１は本発明の間仕切り壁の構築方法の実施形態を示す縦断正面図で、本発明は、ぶどう棚が吊り下げられ、天井高のある比較的大きな空間のある生産施設や研究施設などの構造物において、前記空間に間仕切り壁を構築する場合に実施されるものである。
【００１９】
床１の上から天井２の下まで間仕切り壁を構築する場合で、ぶどう棚３の設置される箇所ではぶどう棚３を貫通させて間仕切り壁を構築することになり、ぶどう棚３の上部分と下部分とに分けて施工する。
【００２０】
本発明は、ぶどう棚３の上部分の間仕切り壁の構築方法に関するもので、この部分を上下に２分割し、天井２から下がり壁４を施工し、施工階の床１上で地組みされるぶどう棚３に同施工階の床１上で自立壁５を地組みし、この下がり壁４と自立壁５の合体でぶどう棚３よりも上部分の間仕切り壁を構成する。
【００２１】
下がり壁４または自立壁５のいずれか一方、図示の例では、下がり壁４を自立壁５よりも壁厚を大きく形成する。また、下がり壁４と自立壁５との接合端面の一方、図示の例では自立壁５の上端は、ロックウール８を載せ、その上を天端かぶせ金物としての鉄板９で覆って接合部位を設ける
【００２２】
かかるぶどう棚３より上部分の間仕切り壁の構築方法は、図２〜図５について説明する。図２に示すようにぶどう棚３のリフトアップ前に、天井２の下部から下がり壁４を先行施工し、その後、施工階の床１上でぶどう棚３を地組みし、さらにこのぶどう棚３に同じ施工階の床１上で自立壁５を地組みする。図中７は同じぶどう棚３の上に設置された設備配管を示す。
【００２３】
ぶどう棚３が設置されない箇所の間仕切り壁６は床１と天井２との間に先行施工しておく。
【００２４】
次に、図３に示すようにぶどう棚３をリフトアップする。これにより、ぶどう棚３に一体に設置された設備配管７とともに自立壁５もリフトアップされる。
【００２５】
このぶどう棚３のリフトアップにより図４に示すように自立壁５の上端が下がり壁４の下端に接合して、自立壁５と下がり壁４とが合体し、ぶどう棚３の上方に間仕切り壁が構築される。よって、ぶどう棚３上での高所作業を行うことなく、ぶどう棚３をリフトアップするだけで、ぶどう棚３の上方に間仕切り壁が構築される。しかも、このぶどう棚３のリフトアップは間仕切り壁の構築のためだけに別工程で行うのではなく、設備機器をリフトアップする工程の中で同時に行うから、施工性もよい。
【００２６】
下がり壁４と自立壁５との接合に際し、下がり壁４の壁厚を自立壁５の壁厚よりも大きく形成してあるから、位置精度の誤差は吸収され、また、自立壁５の上端にはロックウール８と鉄板９とにより接合部位が形成してあるから、接合時にはロックウール８が押しつぶされることにより区画が形成できる。
【００２７】
以上のようにしてぶどう棚３の上部分の間仕切り壁が構築されたならば、図５に示すようにぶどう棚３の下部分の間仕切り壁１０を施工する。この下部分の間仕切り壁１０の施工は、床１とぶどう棚３との間の施工であり、従来と同様の方法での施工で行う。
【図面の簡単な説明】
【００２８】
【図１】本発明の間仕切り壁の構築方法の実施形態を示す縦断正面図である。
【図２】本発明の間仕切り壁の構築方法の実施形態を示す第１工程の正面図である。
【図３】本発明の間仕切り壁の構築方法の実施形態を示す第２工程の正面図である。
【図４】本発明の間仕切り壁の構築方法の実施形態を示す第３工程の正面図である。
【図５】本発明の間仕切り壁の構築方法の実施形態を示す第４工程の正面図である。
【符号の説明】
【００２９】
１  床                          ２  天井
３  ぶどう棚                    ４  下がり壁
５  自立壁                      ６  間仕切り壁
７  設備配管                    ８  ロックウール
９  鉄板                        １０  間仕切り壁
【図１】
2010133157.tif 000003
【図２】
2010133157.tif 000004
【図３】
2010133157.tif 000005
【図４】
2010133157.tif 000006
【図５】
2010133157.tif 000007